(57)【特許請求の範囲】
【請求項１】
天井壁面または天井裏に配設される換気扇本体と、この換気扇本体の施工状態を確認できるように、あらかじめ設定された風量で運転可能に、前記換気扇本体に設けられる本体スイッチと、室内壁面に前記換気扇本体を運転操作するために設けられる操作スイッチと、この操作スイッチからの信号により前記換気扇本体の運転を制御する制御部とを備え、前記操作スイッチ設置後は、前記操作スイッチで前記換気扇本体の運転を制御する構成とした換気扇。
【請求項２】
換気扇本体に、本体スイッチの「ＯＮ」、または「ＯＦＦ」の状態を検知して操作スイッチに信号を送る送信手段を設け、前記操作スイッチに、前記送信手段からの信号を受けて前記本体スイッチの「ＯＮ」、または「ＯＦＦ」の状態を表示する本体スイッチ状態表示部を設けた請求項１記載の換気扇。
【請求項３】
運転モードを記憶する記憶手段を操作スイッチに設けた請求項１または２記載の換気扇。
【発明の詳細な説明】
【０００１】
【発明の属する技術分野】
本発明は、天井壁面または天井裏に設けられ、室壁に設置される操作スイッチによって運転を操作される換気扇に関する。
【０００２】
【従来の技術】
近年、住宅の高気密化が進むにともない、常時換気の必要性から、天井裏に取り付けて、住宅の各部屋の空気をダクトを介して集中的に換気する換気扇が普及してきている。
【０００３】
従来、この種の換気扇の一例として図６に示されるものがあった。
【０００４】
以下、その構成について図６を参照しながら説明する。
【０００５】
図に示すように、住宅の天井裏１０１に換気扇本体１０２を設け、換気扇本体１０２と各部屋１０８、１０９の天井面１０３に設けた排気口１０４をダクト１０５を介して連通させ、屋外には、換気扇本体１０２とダクト１１０を介して連通する屋外フード１１０を設け、部屋１０８の壁体１０６に設けた操作スイッチ１０７を操作することにより、換気扇本体１０２を運転させて各部屋１０８、１０９の空気を排気口１０４から吸い込み、屋外フード１１１から屋外へ排気していた。
【０００６】
【発明が解決しようとする課題】
このような従来の換気扇の構成では、天井裏１０１に設けられる換気扇本体１０２と、壁体１０６に取り付けられる操作スイッチ１０７は、同時に施工されず、換気扇本体１０２の設置後、天井材の張り付け工事、壁体工事、および室内内装が終了してから操作スイッチ１０７が取り付けられるので、換気扇本体１０２の施工時に、換気扇本体１０２を運転することで換気扇本体１０２やダクト１０５の施工状態を確認することができないという課題があった。
【０００７】
本発明は上記課題を解決するもので、換気扇本体およびダクトの施工時に操作スイッチが取り付けられていなくても、換気扇本体を運転して換気扇本体やダクト配管の施工状態を確認できる換気扇を提供することを目的とする。
【０００８】
【課題を解決するための手段】
本発明の換気扇においては、天井壁面または天井裏に配設される換気扇本体と、この換気扇本体の施工状態を確認できるように、あらかじめ設定された風量で運転可能に、前記換気扇本体に設けられる本体スイッチと、室内壁面に前記換気扇本体を運転操作するために設けられる操作スイッチと、この操作スイッチからの信号により前記換気扇本体の運転を制御する制御部とを備え、前記操作スイッチ設置後は、前記操作スイッチで前記換気扇本体の運転を制御する構成とする。
【０００９】
この本発明によれば、換気扇本体およびダクトの施工時に操作スイッチが取り付けられてなくても、本体スイッチにより換気扇本体を運転して換気扇本体やダクト配管の施工状態を確認することのできる換気扇を提供できる。
【００１０】
【課題を解決するための手段】
本発明の請求項１に記載の発明は、天井壁面または天井裏に配設される換気扇本体と、この換気扇本体の施工状態を確認できるように、あらかじめ設定された風量で運転可能に、前記換気扇本体に設けられる本体スイッチと、室内壁面に前記換気扇本体を運転操作するために設けられる操作スイッチと、この操作スイッチからの信号により前記換気扇本体の運転を制御する制御部とを備え、前記操作スイッチ設置後は、前記操作スイッチで前記換気扇本体の運転を制御する構成としたものであり、換気扇本体およびダクトの施工時に操作スイッチが取り付けられていなくても、本体スイッチにより換気扇本体を運転して換気扇本体やダクト配管の施工状態を確認できる作用を有する。
【００１１】
以下、本発明の実施の形態について図１〜図５を参照しながら説明する。
【００１２】
（実施の形態１）
図１〜図４に示すように、天井裏２に設けられる換気扇本体３と、換気扇本体３の運転を操作するために室内１７の壁体４に設けられる操作スイッチ５と、操作スイッチ５からの信号を受けて換気扇本体３の運転を制御する制御部６とを備えた換気扇において、換気扇本体３に、操作することによりあらかじめ設定した風量の運転モードで運転をさせる本体スイッチ７と、本体スイッチ７の「ＯＮ」、または「ＯＦＦ」の状態を検知する入力判定手段８と、入力判定手段８の信号により換気扇本体３を運転する運転手段９とを設け構成する。
【００１３】
また、制御部６には、本体スイッチ７の状態を検知して、操作スイッチ５に信号を送る送信手段１０を設け、操作スイッチ５には、送信手段１０の信号を受けて本体スイッチ７の状態を表示する本体スイッチ状態表示部１１と、運転モードを設定する運転モード設定部１２と、この運転モード設定部１２の信号を受けて表示する運転モード表示部１３と、運転モードを記憶する不揮発性メモリーからなる記憶手段１４とを設ける。
【００１４】
また、換気扇本体３と住宅内の各部屋の天井材１に開口した換気口１５は天井裏２内でダクト１６を介して連通される。
【００１５】
上記構成において、図５に示すように、換気扇本体３とダクト１６の配管が完了して、まだ天井材１や壁体４が施工される前に、ダクト１６および換気扇本体３の施工状態を確認する場合には、本体スイッチ７を操作して「ＯＮ」にすることにより、入力判定手段８が本体スイッチ７の状態を検知して運転手段９を動作させて、換気扇本体３をあらかじめ設定されている風量（強ノッチ）で運転することになる。そして、施工者は、各部屋に開口したダクト１６の開口端から室内の空気が吸気されることを確認できることとなる。このとき、ダクト１６の配管工事に不備があり、ダクト１６の外れや緩みなどにより換気漏れが起こっていたり、換気扇本体３が正常に作動していないときには、直ちに原因を究明して室内の内装が行われる前に正しい施工に改善することができる。
【００１６】
また、あらかじめ設定されている風量が強ノッチであるので、ダクト１６が長く引き回された状態や、多数に分岐したときなどダクトの抵抗が大きい場合でも、風量が少なくて確認できないということがなくなり、施工者はダクト１６の開口端などから風量が十分得られているか調べることで容易に確認できる。また、ダクト１６の開口端を一時的に塞いで、内圧を高くしてダクト１６の接続部分の風漏れを調べる場合も、風量が強ノッチに設定されているのでより効果的に確認できることとなる。
【００１７】
つぎに、図１に示すように、天井材１および壁体４が施工され、操作スイッチ５が取り付けられた状態では、通常、本体スイッチ７は「ＯＦＦ」状態にして使用するが、施工状態を確認した後に「ＯＮ」の状態にしたままであると、その後、操作スイッチ５で運転を操作しても入力判定手段８は、本体スイッチ７の状態を検知し、運転手段９を動作させて換気扇本体３を運転させてしまい、操作スイッチ５で操作した運転モードと異なった運転をすることとなるが、入力判定手段８は、本体スイッチ７の状態を検知して送信手段１０から操作スイッチ５へ信号を送るので、操作スイッチ５が、本体スイッチ７が「ＯＮ」であることを検知して本体スイッチ状態表示部１１に表示することになる。使用者、または施工者は、この表示を見て本体スイッチ７が「ＯＮ」であることを認識し、点検口（図示せず）を開けて、点検口から容易に操作可能な本体スイッチ７の設定を正しく「ＯＦＦ」に変更することができる。そして、換気扇本体３の運転が正しく行われることになる。
【００１８】
つぎに、図２〜図４に示すように、運転モード設定部１２を押すと、瞬時に操作スイッチ５は、押された運転モードを記憶手段１４に記憶して、運転モード表示部１３に運転モードを表示する。その後、運転モード設定部１２から手が離れ押されてない状態になると、記憶手段１４に記憶された運転モードに応じた信号は換気扇本体３の入力判定手段８に送られ、入力判定手段８は、運転手段９を動作させて換気扇本体３を運転させる。そして、換気扇本体３が運転をしているときに一時停電をした後、使用者が知らないうちに復電した場合、記憶手段１４は、不揮発性のメモリーで構成されているため停電の直前に運転していたモードを記憶していて、操作スイッチ５は、記憶手段１４から停電の直前の運転モードを読み出して換気扇本体３へ信号を送る。換気扇本体３は、入力判定手段８により信号を受け取り、運転手段９を動作させて換気扇本体３を運転させることとなる。
【００１９】
さらに、設定スイッチ１２を押して操作スイッチ５が運転モードを記憶手段１４に記憶を行なっているときに瞬時停電が発生して、運転モードの記憶ができなかった場合、運転モード表示部１３に運転モードの変更が表示されないので、使用者に、すぐにモード設定が正しく行えなかったことを認識させて、再度設定し直す必要性を感じさせることができる。
【００２０】
このように本発明の実施の形態１の換気扇によれば、換気扇本体３に本体スイッチ７を設け、操作スイッチ５の操作の有無に関係なく本体スイッチ７により換気扇本体３の運転をすることができるので、換気扇本体３およびダクト１６のみの施工が完了した段階で、早期に施工確認ができ、施工に不備があっても、天井材１や壁体４等の内装を施工する前に、直ちに修正することができる。
【００２１】
また、本体スイッチ７により換気扇本体３を運転させると、あらかじめ設定されている強ノッチで運転するので、施工者は、各部屋に開口したダクト１６の開口端から室内の空気が吸気されることを確認することができる。
【００２２】
また、入力判定手段８で本体スイッチ７の状態を検知して操作スイッチ５へ信号を送り、本体スイッチ状態表示部１１に本体スイッチ７が「ＯＮ」であることを表示させるので、施工確認後に本体スイッチ７を「ＯＦＦ」にすることを忘れたとしても、操作スイッチ５を取り付けた段階で、施工者または使用者が認識して、本体スイッチ７を「ＯＦＦ」に戻して、操作スイッチ５で換気扇本体３の運転を正しく操作することができる。
【００２３】
また、不揮発性メモリーで構成された記憶手段１４に運転モードを記憶させることにより、換気扇本体３を運転しているときに不意に停電して、その後復電した場合、操作スイッチ５は記憶手段１４に記憶されている運転モードを換気扇本体３へ送信して換気扇本体３の運転を開始させるため、使用者が停電が起こったことを知らなくても、停電直前の運転モードで自動的に復帰して換気をすることで、必要な換気風量が常に確保され、住宅内の結露や、換気不足の発生を防止することができる。
【００２４】
また、運転モード設定部１２で運転モードが設定されると、記憶手段１４にその運転モードを記憶して、その後で運転モード表示部１３に運転モード表示を行うため、使用者は運転モードの表示がされた時点でモード設定が確実に行なわれたことを確認しながら換気扇本体３の運転操作を行なうことができる。
【００２５】
【発明の効果】
以上の実施の形態から明らかなように本発明によれば、天井壁面または天井裏に配設される換気扇本体と、この換気扇本体の施工状態を確認できるように、あらかじめ設定された風量で運転可能に、前記換気扇本体に設けられる本体スイッチと、室内壁面に前記換気扇本体を運転操作するために設けられる操作スイッチと、この操作スイッチからの信号により前記換気扇本体の運転を制御する制御部とを備え、前記操作スイッチ設置後は、前記操作スイッチで前記換気扇本体の運転を制御する構成としたので、換気扇本体およびダクトの施工時に操作スイッチが取り付けられてなくても、換気扇本体を運転して換気扇本体やダクト配管の施工状態を確認することのできる換気扇を提供できる。
【００２６】
また、換気扇本体に、本体スイッチの「ＯＮ」、または「ＯＦＦ」の状態を検知して操作スイッチに信号を送る送信手段を設け、前記操作スイッチに、前記送信手段からの信号を受けて前記本体スイッチの「ＯＮ」、または「ＯＦＦ」の状態を表示する本体スイッチ状態表示部を設けたので、施工確認後に本体スイッチを「ＯＦＦ」にすることを忘れたとしても、操作スイッチを取り付けた段階で、施工者または使用者が認識して、本体スイッチを「ＯＦＦ」に戻して、操作スイッチで換気扇本体の運転を正しく操作することができる。
【００２７】
また、運転モードを記憶する記憶手段を操作スイッチに設けたので、停電からの復帰後も停電前の運転の状態が再現され、引き続き必要な換気風量を確保し続けることができる。
【図面の簡単な説明】
【図１】本発明の実施の形態１の換気扇の構成を示す施工図
【図２】同換気扇の制御構成を示すブロック図
【図３】同換気扇の操作スイッチの構成を示す正面図
【図４】同換気扇の操作スイッチの記憶手段を示すフローチャート
【図５】同換気扇の施工確認時の状態の構成を示す施工状態図
【図６】従来換気扇の設置状態の構成を示す施工状態図
【符号の説明】
１    天井材
２    天井裏
３    換気扇本体
４    室内壁面
５    操作スイッチ
６    制御部
７    本体スイッチ
１０  送信手段
１１  本体スイッチ状態表示部
１４  記憶手段
【図１】
0003569654.tif 000002
【図２】
0003569654.tif 000003
【図３】
0003569654.tif 000004
【図４】
0003569654.tif 000005
【図５】
0003569654.tif 000006
【図６】
0003569654.tif 000007